(57)【要約】【課題】簡単な構成で、簡単かつ容易に駒体が外せ、しかも駒体内への異物の侵入を防ぎ、長期にわたる構成部材の劣化の防止と共に清潔感を維持できるバンドのアジャスト機構を提供する。【解決手段】駒体１の凸部形状１ａに通孔３を形成する。前記通孔３に設けた案内筒状部５ａに、隣接する他の駒体１と連結ピン２との係止を解除させる方向に前記連結ピン２を移動させる解除部材１０を上下動可能に設ける。前記解除部材１０には、前記突出ピン２に設けた突出ピン６と係合する部分に、前記突出ピン２を押圧して前記連結ピン２を移動させる傾斜面１０ａと、前記傾斜面１０ａの形成側とは反対側に、前記通孔３の開口部を覆うように表面部が駒体１外部に露出する押圧受部材４とを設ける。【選択図】図３
2017018554.tif 000002
【特許請求の範囲】
【請求項１】
複数の駒体が、それぞれ他の駒体と側部が隣接した状態で連結されるバンドであって、
前記駒体の両側部にそれぞれ凸部と凹部が形成され、前記凸部が隣接する駒体の凹部に挿入され、かつ前記駒体の凸部の内部に、前記隣接する駒体の凹部の一部に係脱可能に係止する連結ピンと、該連結ピンと前記凹部の一部との係止を維持させる方向に該連結ピンを付勢するスプリングとが設けられている構成のバンドのアジャスト機構において、
前記連結ピンの側部に突出ピンを固定し、前記駒体の凸部に通孔を形成してなり、
前記通孔に、前記突出ピンと係合して、前記連結ピンと前記凹部の一部との係止を解除させる方向に前記連結ピンを前記スプリングの付勢力に抗して移動させる解除部材を上下動可能に設け、
前記解除部材には、前記突出ピンと係合する部分に、前記突出ピンを押圧して移動させる傾斜面と、該傾斜面の形成側とは反対側に、前記通孔の開口部を覆うように表面部が外部に露出する押圧受部材とが設けられていることを特徴とするバンドのアジャスト機構。
【請求項２】
前記通孔に、前記押圧受部材の移動案内を行う案内筒孔部が形成された案内部材を配設したことを特徴とする請求項１記載のバンドのアジャスト機構。
【請求項３】
前記通孔に、前記案内部材の位置決めを行う部位を設けたことを特徴とする請求項２記載のバンドのアジャスト機構。
【発明の詳細な説明】
【技術分野】
【０００１】  本発明は、複数の駒体が連接され、各駒体の両側部にそれぞれ凸部と凹部が形成され、これら凸部が隣接する駒体の凹部に挿入されて連結されるバンドに用いられるアジャスト機構に関する。
【背景技術】
【０００２】  前記構成のバンドでは、バンドの長さを調節するために、通常、駒体の取り外しが行われる。そして駒体を取り外して行うアジャスト方法として、従来、様々の構造のものが提案され、実施されてきている。【０００３】  一般的には、駒体を連結する連結ピンを用いる構造が用いられ、例えば、端部にねじ部が形成された長軸や、弾性を有する長軸を用い、それらを駒体に対して取り付け／取り外してアジャストを行う構造のものがある。【０００４】  ところが、ねじ部や弾性を有する長軸構造の連結ピンでは、バンドの長さを調節する作業を行う際に、小さなドライバや細いピンセットなどの特殊な治具を必要とし、さらに作業に引き抜き力が必要とする。このため、一般人では、容易かつ円滑に連結ピンを取り外すことが困難であり、時として連結ピンを破損することがあった。【０００５】  そこで、本発明者は、以前に一般使用者でも簡単かつ容易にバンドの長さを調節することができることを目的としたアジャスト機構を提案した（特許文献１，２参照）。【０００６】  特許文献１，２に記載のアジャスト機構では、駒体の外側に開口部が現れるように操作孔や通孔を設け、これらの孔部を通して冶具の先端部を駒体内部に挿入し、治具を横移動させたり、押下させたりして、駒体内部の解除部材／移動部材を移動させて、隣接する駒体の凸部と凹部とを連結している連結ピンを移動せることにより、隣接する駒体同士の係止を解除させる構成になっている。
【先行技術文献】
【特許文献】
【０００７】
【特許文献１】実用新案登録第３１５５９２５号公報
【特許文献２】特許第５４５０７３０号公報
【発明の概要】
【発明が解決しようとする課題】
【０００８】  前記特許文献１，２に記載のアジャスト機構は、それ以前のアジャスト方法である連結ピンを、駒体の側方からねじ込む構造や、弾性を有する長軸を用いる構造に比べて、一般人であっても、容易かつ円滑にアジャストが行えるという利点はある。【０００９】  しかし、特許文献１，２に記載のアジャスト機構は、特別な平板加工を必要とする比較的複雑な製造となっており、またアジャスト操作のときに、冶具の先端部を駒体内部に挿入し、治具を横移動させたり、押下させたりするための操作孔や通孔の開口が駒体の外側に露出したままである。【００１０】  上記のように操作孔や通孔の開口が駒体の外側に露出したままであると、腕に装着したり、机の上に置かれたりすることが多い腕時計用バンドでは、汗，垢あるいは塵埃などが駒体内部に入り込み、部材の劣化を引き起こすということが考えられる。【００１１】  そこで本発明は、簡単な構成で、簡単かつ容易に駒体が外せ、しかも駒体内への異物の侵入を防ぎ、長期にわたる構成部材の劣化の防止と共に清潔感を維持できるバンドのアジャスト機構を提供することを目的とする。
【課題を解決するための手段】
【００１２】  本発明のバンドのアジャスト機構は、複数の駒体が、それぞれ他の駒体と側部が隣接した状態で連結されるバンドであって、前記駒体の両側部にそれぞれ凸部と凹部が形成され、前記凸部が隣接する駒体の凹部に挿入され、かつ前記駒体の凸部の内部に、前記隣接する駒体の凹部の一部に係脱可能に係止する連結ピンと、該連結ピンと前記凹部の一部との係止を維持させる方向に該連結ピンを付勢するスプリングとが設けられている構成のバンドのアジャスト機構において、前記連結ピンの側部に突出ピンを固定し、前記駒体の凸部に通孔を形成してなり、前記通孔に、前記突出ピンと係合して、前記連結ピンと前記凹部の一部との係止を解除させる方向に前記連結ピンを前記スプリングの付勢力に抗して移動させる解除部材を上下動可能に設け、前記解除部材には、前記突出ピンと係合する部分に、前記突出ピンを押圧して移動させる傾斜面と、該傾斜面の形成側とは反対側に、前記通孔の開口部を覆うように表面部が外部に露出する押圧受部材とが設けられているものである。【００１３】  また前記通孔に、前記押圧受部材の移動案内を行う案内筒孔部が形成された案内部材を配設したものである。【００１４】  また前記通孔に、前記案内部材の位置決めを行う部位を設けたものである。
【発明の効果】
【００１５】  本発明のアジャスト機構によれば、主構造が連結ピンの側部に突出ピンを固定し、この突出ピンを押圧／移動させる傾斜面を解除部材に形成するものであって、従来に比して特殊な加工を必要としない構造となり、さらに前記傾斜面による分力作用による軽快で円滑な操作が行える。【００１６】  さらに、解除部材に、駒体に形成した通孔の開口部を覆うように表面部が外部に露出する押圧受部材を設けたことにより、実使用に際し、通孔から駒体内部に汗，垢あるいは塵埃などが入り込むことを防げるため、構成部材の劣化を防止でき、かつ開口部分に異物が溜まることがなくなるため、体に装着して用いられるバンドにあっては、その清潔感を維持することができる。【００１７】  このように、この種のアジャスト機構としては、比較的簡易な構成であると共に、軽快に駒外しができ、しかも耐久性や実使用の使用感にも優れるなどの効果がある。
【図面の簡単な説明】
【００１８】
【図１】本発明に係るアジャスト機構の実施形態を使用したバンドの全体斜視図である。
【図２】本実施形態を用いたバンドの駒体単体を裏面側から見た斜視図である。
【図３】本実施形態における駒体裏側からのアジャスト機構の分解斜視図である。
【図４】本実施形態におけるアジャスト機構の要部の組み付け状態を示す斜視図である。
【図５】本実施形態におけるアジャスト機構の組立手順の説明斜視図である。
【図６】本実施形態におけるアジャスト機構の組立手順の説明斜視図である。
【図７】本実施形態におけるアジャスト機構の組立手順の説明斜視図である。
【図８】本実施形態におけるアジャスト機構の組立手順の説明斜視図である。
【図９】本実施形態におけるアジャスト機構の組立手順の説明斜視図である。
【図１０】（ａ）は本実施形態におけるアジャスト機構の組立完成時の斜視図、（ｂ）は本実施形態における連結解除（アジャスト）時の駒体を示す斜視図である。
【図１１】本実施形態に使用可能なアジャスト冶具を示す斜視図である。
【図１２】本実施形態に使用可能な案内部材の位置決め構造の例を示す斜視図である。
【発明を実施するための形態】
【００１９】  以下に本発明の好適な実施形態を図面にて説明する。
図１は本発明に係るアジャスト機構の実施形態を使用したバンドの全体斜視図、図２は本実施形態のアジャスト機構の実施形態を使用したバンドの駒体単体を裏面側から見た斜視図である。
【００２０】  図１，図２において、複数の駒体１が、それぞれ他の駒体１と側部が隣接した状態で連結されて長尺のバンドを形成している。各駒体１は、一方の側部が凸部形状１ａになっており、他方の側部が凹部形状１ｂになっている。そして、隣接する駒体１において、一方の駒体１の凸部形状１ａが、他の駒体１の凹部形状１ｂに挿入され、断面円形状の連結ピン２によって連結する構成になっている。
【００２１】  図１はバンドとしての外装表面側を示し、図２はバンドを構成する駒の裏面側、すなわち装着者の腕などの身体側を示しており、図２において、駒体１の凸部形状１ａには、駒体１内部まで達する通孔３と、通孔３に上下動可能に設けられている後述する解除部材と一体の押圧受部材４と、押圧受部材４の上下動をガイドする筒状の案内部材５が設けられている。押圧受部材４と案内部材５との外側上端は、通孔３の開口端部（駒体１の外側面）と略面一に配設され、当該部位において大きな凹凸が生じないようにしている。
【００２２】  図３は本実施形態におけるアジャスト機構の分解斜視図であり、駒体１と、一対の連結ピン２と、駒体１の凸部形状１ａの裏面側に設けられた一対の円形状の通孔３と、円盤状の押圧受部材４と、通孔３内部に嵌着される案内部材５とを備え、案内部材５の案内筒孔部５ａ内部に押圧受部材４が上下動可能に配され、さらに連結ピン２側部に形成した圧入孔２ａに突出ピン６が圧入固定される。
【００２３】  駒体１の凸部形状１ａの両横側部には、連結ピン２が挿入される貫通孔７が通孔３に達するように形成され、駒体１の凹部形状１ｂの両横側部には、隣接する駒体１の連結ピン２が嵌着される受孔８が形成されている。
【００２４】  図４は本実施形態におけるアジャスト機構の要部の組み付け状態を示す斜視図であり、一対の連結ピン２の間にはコイルスプリング９が配され、押圧受部材４とは反対側の下部には、突出ピン６を押圧して移動させる傾斜面１０ａが形成されている解除部材１０が一体に設けられている。解除部材１０の板状部１０ｂが、案内部材５の案内筒孔部５ａに形成された溝部５ｂ（図３参照）に入り込んで移動ガイドされるようになっている。
【００２５】  図５〜図９は本実施形態におけるアジャスト機構の組立手順の説明斜視図であり、図５に示す駒体１の凸部形状１ａにおける両横側部の貫通孔７から、図６に示すように、コイルスプリング９を挿入した後、両貫通孔７の側方から連結ピン２を挿入する。そして、連結ピン２を周方向へ回動して圧入孔２ａを上方に向け、圧入孔２ａに通孔３の開口から突出ピン６を圧入固定する。
【００２６】  図７に示すように、連結ピン２に突出ピン６を固定した後、図８に示すように、連結ピン２を周方向へ回動して横に倒すようにする。そして図９に示すように、通孔３から解除部材１０を傾斜面１０ａが突出ピン６に当接するように挿入し、解除部材１０の押圧受部材４の上方から、押圧受部材４が案内筒孔部５ａに入り、かつ解除部材１０の板部１０ｂが溝部５ｂに入るように、案内部材５を挿入して固定する。
【００２７】  図１０（ａ）が本実施形態におけるアジャスト機構を具備したアジャスト駒の完成状態の斜視図であり、図４に示すように、コイルスプリング９により両連結ピン２が横方向へ付勢されて先端部が駒体１の凸部形状１ａから突出する。この状態で両連結ピン２の先端部が隣接する駒体１の凹部形状１ｂの受孔８に嵌着され、駒体１同士が連結される。
【００２８】  アジャスト時には、図１０（ｂ）に示すように、適当な部材にて押圧受部材４を案内部材５の案内筒孔部５ａへ押し込むと、図４に示すように、解除部材１０の傾斜面１０ａが突出ピン６と当接しているため、操作力を受ける押圧受部材４から解除部材１０へ伝わる力が、傾斜面１０ａにて分力として突出ピン６に加わり、突出ピン６を駒体１の内部へと横移動させる。この移動により両連結ピン２の先端部が隣接する駒体１の凹部形状１ｂの受孔８から外れ、駒体１同士の連結が解除されることになる。
【００２９】  また、アジャスト時に押圧受部材４を通孔３へ押し込むためには、身近にある棒状体，ピンセットを使用することができる。しかし、図１１に示すような押圧受部材４の受け面に略合致した一対の押圧部１１ａを有するアジャスト冶具１１を用いれば、より容易にアジャスト作業を行うことができる。
【００３０】  さらに、通孔３内部における案内部材５の位置決めおよびセット性をよくするため、図１２に示すように、案内筒孔部５ａに位置決め用突起５ｃを形成し、通孔３部分の駒体１に凹部１ｃを形成して、凹部１ｃに位置決め用突起５ｃを嵌着する構造にすることも考えられる。
【００３１】  なお、駒体１の形状，材質などは、図示したものに限定されず、また他の各部の形状なども本実施形態のものに限定されない。
【産業上の利用可能性】
【００３２】  本発明は、駒体の両側部にそれぞれ凸部と凹部が形成され、これらの駒体を順次連結する構造の装飾用バンドや時計バンドのアジャスト機構として有効である。
【符号の説明】
【００３３】１  駒体
１ａ  駒体の凸部形状
１ｂ  駒体の凹部形状
１ｃ  凹部
２  連結ピン
２ａ  圧入孔
３  通孔
４  押圧受部材
５  案内部材
５ａ  案内筒孔部
５ｂ  溝部
５ｃ  位置決め用突起
６  突出ピン
８  受孔
９  コイルスプリング
１０  解除部材
１０ａ  傾斜面
１０ｂ  板状部
１１  アジャスト冶具
１１ａ  押圧部
【図１】
2017018554.tif 000003
【図２】
2017018554.tif 000004
【図３】
2017018554.tif 000005
【図４】
2017018554.tif 000006
【図５】
2017018554.tif 000007
【図６】
2017018554.tif 000008
【図７】
2017018554.tif 000009
【図８】
2017018554.tif 000010
【図９】
2017018554.tif 000011
【図１０】
2017018554.tif 000012
【図１１】
2017018554.tif 000013
【図１２】
2017018554.tif 000014